(57)【要約】【課題】手を用いずにワイパーの揺動を制御することができ、視界を明晰に維持し、雨天走行時や作業中の安全性を高めることができるヘルメットのワイパー装置の提供。【解決手段】顔面を覆うシールド部Ｃ１を有するヘルメット本体Ｃと、ヘルメット本体Ｃ内部の口元近傍に設置されたタッチ制御装置Ｄと、駆動端を有する駆動装置Ｅと、シールド部Ｃ１の表面に密着するブレードＦ３を有するワイパーＦとから成り、ヘルメット本体Ｃに駆動装置Ｅが設置され、駆動装置Ｅの駆動端にワイパーＦが接続され、駆動装置Ｅとタッチ制御装置Ｄは延伸コードＥ１を介して接続され、タッチ制御装置Ｄを噛んで加圧すると、タッチ制御装置Ｄは駆動装置Ｅへ作動信号を発信し、駆動装置Ｅは作動信号を受信すると駆動端を駆動し、駆動端が駆動した時、ワイパーＦのブレードＦ３がシールド部Ｃ１の表面に沿って揺動する。【選択図】図５
0003124439.tif 000002
【実用新案登録請求の範囲】
【請求項１】
顔面を覆うシールド部を有するヘルメット本体と、該ヘルメット本体内部の口元近傍に設置されたタッチ制御装置と、駆動端を有する駆動装置と、前記シールド部の表面に密着するブレードを有するワイパーとから成り、前記ヘルメット本体に前記駆動装置が設置され、該駆動装置の駆動端に前記ワイパーが接続され、前記駆動装置と前記タッチ制御装置は接続コードを介して接続され、前記タッチ制御装置を噛んで加圧すると、該タッチ制御装置は前記駆動装置へ作動信号を発信し、前記駆動装置は作動信号を受信すると駆動端を駆動し、該駆動端が駆動した時、前記ワイパーのブレードが前記シールド部の表面に沿って揺動することを特徴としたヘルメットのワイパー装置。
【請求項２】
前記ヘルメット本体は頭部へ装着可能である請求項１に記載されたヘルメットのワイパー装置。
【請求項３】
前記ヘルメット本体に、前記ワイパーを作動しない時、そのブレードを収納できる収納部を設けた請求項１又は２に記載されたヘルメットのワイパー装置。
【請求項４】
前記ヘルメット本体が、フルフェイスタイプ、ハーフフェイスタイプ、庇の先端〜シールド部を吊り下げた作業用ヘルメットタイプのいずれかである請求項１〜３のいずれかに記載されたヘルメットのワイパー装置。
【請求項５】
前記ワイパーの揺動数を調節可能である請求項１〜４のいずれかに記載されたヘルメットのワイパー装置。
【請求項６】
前記ワイパーに前記駆動端と嵌合する嵌合ボールを設けた請求項１〜５のいずれかに記載されたヘルメットのワイパー装置。
【請求項７】
前記タッチ制御装置は、前記ヘルメット本体の内面に取り付けた屈曲棒の先端に設置され、該屈曲棒を回動させることにより、前記タッチ制御装置を前記ヘルメット本体の内面近くに移動できる請求項１〜６のいずれかに記載されたヘルメットのワイパー装置。
【考案の詳細な説明】
【技術分野】
【０００１】
本考案は、ヘルメットのシールド上部に付着した水滴を除去して、走行時における安全性を高めるヘルメットのワイパー装置に関する。
【背景技術】
【０００２】
図１及び図２に示すように、オートバイ等を運転する際に着用する一般的なヘルメットＡは、顔面の前方を透明なシールドＡ１で覆うようになっている。雨天走行時にこのヘルメットＡを被ると、雨水がシールドＡ１の表面に付着して視界を遮るので、前方をはっきりと見るのが難しくなる。シールドＡ１についた雨水を手で拭おうとすると、片手運転になって危険性が増す。
また、雨水を除去するために、自動車のフロントガラスのように、シールドＡ１の表面に電動ワイパー装置を設置することが考えられる。しかしながら、制御装置Ａ２をオンにすると、ワイパーＡ３が目の前で絶えず揺動することになり、走行時の注意力が散漫になって、事故の原因となる心配がある。
【考案の開示】
【考案が解決しようとする課題】
【０００３】
本考案が解決しようとする課題は、手を用いずにワイパーの揺動を制御することができ、視界を明晰に維持し、雨天走行時や作業中の安全性を高めることができるヘルメットのワイパー装置を提供することにある。
【課題を解決するための手段】
【０００４】
本考案のヘルメットのワイパー装置は、顔面を覆うシールド部を有するヘルメット本体と、該ヘルメット本体内部の口元近傍に設置されたタッチ制御装置と、駆動端を有する駆動装置と、前記シールド部の表面に密着するブレードを有するワイパーとから成り、前記ヘルメット本体に前記駆動装置が設置され、該駆動装置の駆動端に前記ワイパーが接続され、前記駆動装置と前記タッチ制御装置は接続コードを介して接続され、前記タッチ制御装置を噛んで加圧すると、該タッチ制御装置は前記駆動装置へ作動信号を発信し、前記駆動装置は作動信号を受信すると駆動端を駆動し、該駆動端が駆動した時、前記ワイパーのブレードが前記シールド部の表面に沿って揺動する。
【０００５】
以下の構成を採用することができる。
前記ヘルメット本体を頭部へ装着可能とした構成。
前記ヘルメット本体に、前記ワイパーを作動しない時、そのブレードを収納できる収納部を設けた構成。
前記ヘルメット本体を、フルフェイスタイプ、ハーフフェイスタイプ、庇の先端〜シールド部を吊り下げた作業用ヘルメットタイプのいずれかとした構成。
前記ワイパーの揺動数を調節可能とした構成。
前記ワイパーに前記駆動端と嵌合する嵌合ボールを設けた構成。
前記タッチ制御装置は、前記ヘルメット本体の内面に取り付けた屈曲棒の先端に設置され、該屈曲棒を回動させることにより、前記タッチ制御装置を前記ヘルメット本体の内面近くに移動できるようにした構成。
【考案の効果】
【０００６】
本考案によれば、ヘルメットのシールド表面に付着した水滴や汚れをワイパーで除去して視界を確保することができ、しかも、口元近傍に設置したタッチ制御装置を噛むことにより、手を用いずに必要な時のみにワイパーを作動させることが可能なので注意が散漫になる心配も無く、雨天走行時や作業中の安全性を高めることができる。
【考案を実施するための最良の形態】
【０００７】
以下、本考案の実施例を図面に基づいて詳細に説明する。
図３及び図４に示すように、本考案のヘルメットのワイパー装置Ｂは、ヘルメット本体Ｃと、タッチ制御装置Ｄと、駆動装置Ｅと、ワイパーＦとを備える。
ヘルメット本体Ｃには、従来のものと同様、顔面を覆う透明なシールド部Ｃ１が設けられる。また、ヘルメット本体Ｃの前部中央において、シールド部Ｃ１の上方に設置孔Ｃ２が穿設され、この設置孔Ｃ２に駆動装置Ｅが取り付けられる。
なお、ヘルメット本体Ｃは、シールド部Ｃ１を有するものであれば、フルフェイスタイプ、ハーフフェイスタイプ等どのような形状であっても良い。
【０００８】
駆動装置Ｅには、ヘルメット本体Ｃの内側を通って延びる延伸コードＥ１の一端を接続し、延伸コードＥ１の他端に屈曲棒Ｄ１を介してタッチ制御装置Ｄを接続する。屈曲棒Ｄ１はヘルメット本体Ｃの内面に取り付けられ、ヘルメット本体Ｃを装着したときタッチ制御装置Ｄがちょうど口元に位置するよう、長さ及び角度を設定してある。
また、タッチ制御装置Ｄは、軽く噛んで圧力を加えることにより、駆動装置Ｅに内蔵されたワイパーモータへ作動信号を発信するようになっている。
【０００９】
駆動装置Ｅの下面中央部には、ワイパーモータで駆動される駆動端Ｅ２が設けられ、この駆動端Ｅ２にワイパーＦが接続される。駆動装置Ｅは、タッチ制御装置Ｄからの作動信号を受信すると、ワイパーモータが作動して駆動端Ｅ２を駆動するようになっている。
ワイパーＦは、一端に嵌合ボールＦ１を設けたワイパーアームＦ２と、ワイパーアームＦ２の他端に接続したブレードＦ３とを有する。また、ワイパーＦは、嵌合ボールＦ１を駆動端Ｅ２へ嵌合することにより駆動装置Ｅに揺動可能に取り付けられ、ブレードＦ３が下方へ延びて、その側縁がシールド部Ｃ１の表面に密着している。
そして、駆動装置Ｅの駆動端Ｅ２が駆動すると、ワイパーＦのブレードＦ３がシールド部Ｃ１の表面に沿って左右へ揺動するようになっている。
【００１０】
雨天走行時には、図５に示すように、ワイパー装置Ｂを装着したヘルメット本体Ｃを被り、タッチ制御装置Ｄを口部Ｇで噛んで軽く圧力を加える。すると、タッチ制御装置Ｄから駆動装置Ｅへ信号が送られ、駆動装置Ｅが作動する。この結果、ワイパーＦのブレードＦ３がシールド部Ｃ１の表面に密着しながら揺動し、シールド部Ｃ１の表面に付着した水滴や汚れを除去する。
また、ワイパーＦを作動させる数やタイミングは、タッチ制御装置Ｄを噛む回数及びタイミングによって制御できるので、確実に、且つ、安全に視界を明瞭に保つことができる。
【００１１】
図６に示すように、ヘルメット本体Ｃの前面上部の一側に収納部Ｃ３を設けると、ワイパーＦを停止している時、この収納部Ｃ３内へワイパーアームＦ２及びブレードＦ３を折りたたんで収納することもできる。
また、ワイパーＦを作動させない時は、屈曲棒Ｄ１を回動させることにより、タッチ制御装置Ｄを口部Ｇの近傍からずらして、ヘルメット本体Ｃの内面近くの邪魔にならない位置へ移動できるようにすることも可能である。
【００１２】
図７は、工事現場等で使用する作業用ヘルメットのワイパー装置Ｂを示す。
ヘルメット本体Ｃの前部には庇が設けられ、庇の先端縁から顔面を覆うシールド部Ｃ１を吊り下げてある。
駆動装置Ｅを庇の上面に設置してあり、駆動装置Ｅの前面中央部にワイパーＦが取り付けられる。
【図面の簡単な説明】
【００１３】
【図１】従来のヘルメットの斜視図。
【図２】従来のワイパー付きヘルメットの斜視図。
【図３】本考案の実施例を示すヘルメットのワイパー装置の斜視図。
【図４】本考案の実施例を示すヘルメットのワイパー装置の分解斜視図。
【図５】本考案の実施例を示すヘルメットのワイパー装置の使用状態における斜視図。
【図６】本考案の他の実施例を示すヘルメットのワイパー装置の斜視図。
【図７】本考案のさらに他の実施例を示すヘルメットのワイパー装置の斜視図。
【符号の説明】
【００１４】
Ｂ  ヘルメットのワイパー装置
Ｃ  ヘルメット本体
Ｃ１  シールド部
Ｃ２  設置孔
Ｃ３  収納部
Ｄ  タッチ制御装置
Ｄ１  屈曲棒
Ｅ  駆動装置
Ｅ１  延伸コード
Ｅ２  駆動端
Ｆ  ワイパー
Ｆ１  嵌合ボール
Ｆ２  ワイパーアーム
Ｆ３  ブレード
Ｇ  口部
【図１】
0003124439.tif 000003
【図２】
0003124439.tif 000004
【図３】
0003124439.tif 000005
【図４】
0003124439.tif 000006
【図５】
0003124439.tif 000007
【図６】
0003124439.tif 000008
【図７】
0003124439.tif 000009